(57)【要約】      （修正有）【課題】撮影手段や映像記録手段等の個々の手段の電源の入切をする煩わしさ、電源の入れ忘れや切り忘れによる問題点を回避できる撮像装置、撮像装置の制御方法、プログラムを提供する。【解決手段】収納部を有する撮像装置（ランドセル）であって、給電装置から無線によって受電する受電手段と、前記給電装置と無線通信する通信手段と、撮影方向を切り換えられる撮像手段と、給電装置から所定の信号を受信した場合、撮像手段の撮影方向を収納部の外向きに切り替えて撮像を開始すると共に、撮像された画像に所定の情報が含まれるか否かを検知し、撮像された画像に所定の情報が含まれることを検知した場合、給電装置に給電の開始を要求するよう通信手段を制御する制御手段とを有する。【選択図】図３
2020043423.tif 000002
【特許請求の範囲】
【請求項１】
収納部を有する撮像装置であって、
給電装置から無線によって受電する受電手段と、
前記給電装置と無線通信する通信手段と、
撮影方向を切り換えられる撮像手段と、
前記給電装置から所定の信号を受信した場合、前記撮像手段の撮影方向を前記収納部の外向きに切り替えて撮像を開始すると共に、前記撮像によって撮像された画像に所定の情報が含まれるか否かを検知し、前記撮像によって撮像された画像に所定の情報が含まれることを検知した場合、前記給電装置に給電の開始を要求するよう前記通信手段を制御する制御手段とを有する撮像装置。
【請求項２】
前記撮像手段の撮影方向が前記収納部の外向きの場合には、撮影された画像を前記外部装置に自動的に送信し、前記撮像手段の撮影方向が前記収納部の内向きの場合には、撮影された画像を前記外部装置に送信しないことを特徴とする請求項１に記載の撮像装置。
【請求項３】
画像データのアップロード指示信号を受信した場合、前記撮像手段の撮影方向が前記収納部の内向きであっても、撮像された画像を前記外部装置に送信することを特徴とする請求項１に記載の撮像装置。
【請求項４】
前記撮像部の撮影方向が前記収納部の内向きの場合、前記撮像部は静止画を撮像するモードとなり、
前記撮像部の撮影方向が前記収納部の外向きの場合、前記撮像部は動画を撮像するモードとなるよう制御することを特徴とする請求項１乃至３のいずれか１項に記載の撮像装置。
【請求項５】
外部装置から所定のビーコンを受信する受信手段を更に有し、
前記所定のビーコンを受信している場合、前記撮像部の撮影方向が前記収納部の内向きとなるように制御し、
前記所定のビーコンを受信していない場合、前記撮像部の撮影方向が前記収納部の外向きとなるように制御することを特徴とする請求項１に記載の撮像装置。
【請求項６】
前記撮像手段は着脱可能に保持されていることを特徴とする請求項１乃至５のいずれか１項に記載の撮像装置。
【請求項７】
バッテリーを更に有し、
前記バッテリーは前記収納部の底面に設けられていることを特徴とする請求項１乃至６のいずれか１項に記載の撮像装置。
【請求項８】
前記バッテリーに外部の送電装置から無線給電するための受電コイルを更に有し、
前記受電コイルは前記収納部の面のうち、前記被せ蓋の反対側の面に設けられることを特徴とする請求項７に記載の撮像装置。
【請求項９】
前記被せ蓋の窓部を覆うカバーを備えたことを特徴とする請求項１乃至８のいずれか１項に記載の撮像装置。
【請求項１０】
光を反射する反射板を更に備えたことを特徴とする請求項１乃至９のいずれか１項に記載の撮像装置。
【請求項１１】
防犯ブザーを更に備えたことを特徴とする請求項１乃至１０のいずれか１項に記載の撮像装置。
【請求項１２】
被せ蓋の開閉を検知する検知手段を有し、
前記被せ蓋の開状態を検知した場合、前記撮像部の撮影方向が前記収納部の内向きとなるように制御し、
前記被せ蓋の閉状態を検知した場合、前記撮像部の撮影方向が前記収納部の外向きとなるように制御することを特徴とする請求項１乃至１１のいずれか１項に記載の撮像装置。
【請求項１３】
撮影方向を切り換えられる撮像手段と収納部を有する撮像装置の制御方法であって、
給電装置から無線によって受電する受電ステップと、
前記給電装置と無線通信する通信ステップと、
前記給電装置から所定の信号を受信した場合、前記撮像手段の撮影方向を前記収納部の外向きに切り替えて撮像を開始すると共に、前記撮像によって撮像された画像に所定の情報が含まれるか否かを検知し、前記撮像によって撮像された画像に所定の情報が含まれることを検知した場合、前記給電装置に給電の開始を要求するよう前記通信手段を制御する制御ステップとを有する撮像装置の制御方法。
【請求項１４】
コンピュータを、請求項１乃至１２のいずれか１項に記載の撮像装置の各手段として機能させるための、コンピュータが読み取り可能なプログラム。
【発明の詳細な説明】
【技術分野】
【０００１】
本発明は、撮影方向を切り換えられる撮像装置に関するものである。
【背景技術】
【０００２】
近年、防犯を目的としたカメラの利用が知られている。例えば特許文献１では、ランドセルに装着したカメラ等の撮影手段により児童の後方の情景を撮影することができる防犯監視装置が開示されている。
【０００３】
このシステムでは、本防犯監視装置の主電源をＯＮとすれば、個々の撮影手段や映像記録手段等の電源を入れることなく必要な状況下において外部映像を撮影し録画される。そのため、撮影手段や映像記録手段等の個々の手段の電源の入切をする煩わしさ、電源の入れ忘れや切り忘れによる問題点を回避できる。
【先行技術文献】
【特許文献】
【０００４】
【特許文献１】特開２０１６−７２７８３号公報
【発明の概要】
【発明が解決しようとする課題】
【０００５】
しかしながら特許文献１では、プライバシーが必要な場面では、その都度、防犯監視装置の電源を切る必要があるため、防犯監視装置の電源の入切を忘れることがある。したがって、必要な時に電源が入っておらず撮影ができない場合や、プライバシーが必要な状況でも意図せず撮影を行ってしまう問題があった。また、ランドセルへの電力供給は所有者自らが電力源に有線あるいは無線で接続させて充電させる必要があり、充電を忘れてしまう虞があった。
【０００６】
本発明はこのような従来技術の問題点に鑑みて成されたものであり、撮像装置への給電し忘れを防止することを目的とする。
【課題を解決するための手段】
【０００７】
本発明の撮像装置は、収納部を有する撮像装置であって、給電装置から無線によって受電する受電手段と、前記給電装置と無線通信する通信手段と、撮影方向を切り換えられる撮像手段と、前記給電装置から所定の信号を受信した場合、前記撮像手段の撮影方向を前記収納部の外向きに切り替えて撮像を開始すると共に、前記撮像によって撮像された画像に所定の情報が含まれるか否かを検知し、前記撮像によって撮像された画像に所定の情報が含まれることを検知した場合、前記給電装置に給電の開始を要求するよう前記通信手段を制御する制御手段とを有する。
【発明の効果】
【０００８】
本発明によれば、撮像装置への給電し忘れの可能性を低減することができる。
【図面の簡単な説明】
【０００９】
【図１】（ａ）本発明の実施例に係わるランドセル１が閉状態の斜視図である。（ｂ）本発明の実施例に係わるランドセル１が開状態の斜視図である。（ｃ）本発明の実施例に係わるランドセル１が閉状態の底面側斜視図である。（ｄ）本発明の実施例に係わるランドセル１が閉状態の側面図である。（ｅ）本発明の実施例に係わるランドセル１が開状態の側面図である。
【図２】（ａ）本発明の実施例に係わるランドセル１を学校内に設けられたロッカー２１０に収納する前の斜視図である。（ｂ）本発明の実施例に係わるランドセル１を学校内に設けられたロッカー２１０に収納した状態を表す図である。（ｃ）本発明の実施例に係わるロッカーの給電位置マークの一例である。（ｄ）本発明の実施例に係わるランドセル１とロッカー２１０の無線給電を説明する図である。
【図３】本発明の実施例に係わるランドセル１と家１００と学校２００のブロック図である。
【図４】本発明の実施例に係わるモバイル端末９０を介し、ランドセル１内の物品管理テーブル５００の一例である。
【図５】（ａ）本発明の実施例に係わるランドセル１の通信処理の主ルーチンのフローチャートである。（ｂ）本発明の実施例に係わるランドセル１の家モード処理の詳細なフローチャートである。
【図６】本発明の実施例に係わるランドセル１の外出モード処理の詳細なフローチャートである。
【図７】本発明の実施例に係わるランドセル１の学校モード処理の詳細なフローチャートである。
【図８】本発明の実施例に係わるランドセル１の給電モード処理の詳細なフローチャーである。
【図９】本発明の実施例に係わるロッカー２１０のランドセル１に対する無線給電処理の詳細なフローチャートである。
【図１０】（ａ）本発明の実施例に係わるランドセル１の家モードにおける、ランドセル１とクラウドサーバー７０とモバイル端末９０の通信関係の模式図である。（ｂ）本発明の実施例に係わるランドセル１の外出モードにおける、ランドセル１とクラウドサーバー７０とモバイル端末９０の通信関係の模式図である。
【発明を実施するための形態】
【００１０】
以下に、本発明の好ましい実施の形態を、添付の図面に基づいて詳細に説明を行う。本発明の技術的範囲は、特許請求の範囲によって確定されるものであって、実施形態によって限定されるわけではない。また、実施形態の中で説明されている特徴の組み合わせすべてが、本発明に必須とは限らない。
【実施例】
【００１１】
以下、図１および３を参照して、撮像装置の一例であるランドセル１の構成について説明を行う。
【００１２】
図１（ａ）（ｂ）は被せ蓋３０側から見たランドセル１が閉状態および開状態の斜視図である。図１（ｃ）はランドセル１が閉状態の底面側斜視図である。
【００１３】
図１（ｄ）（ｅ）はランドセル１が閉状態および開状態の側面図である。
【００１４】
図３は本発明の実施例に係わるランドセル１と家１００と学校２００のブロック図である。図３においては、本発明の特徴を説明するのに必要な部分のみを記載しており、説明に不要な部分に関しては省略している。また、図１で説明した部材には同一の符号を用いる。
【００１５】
図１（ａ）〜（ｅ）に示すように、ランドセル１は本体収納部１０と被せ蓋３０からなり、本体収納部１０に設けられた開口部１０ａを覆うように被せ蓋３０が配置されている。また、本体収納部１０には、被せ蓋３０と対向する面に撮像部１９が着脱可能に装着されている。撮像部１９はランドセル１０を背負った状態において、後方を撮影可能に配置されている。この時、撮像部１９は、撮影方向の変更が可能であり、後述の制御手段により、本体収納部１０の内部を撮影することが可能である。
【００１６】
また、被せ蓋３０には撮像部１９を外側に露出させる開口部（窓部）が設けられており、被せ蓋３０には開口部を覆うカバー部材３２が備わっている。これによって、ランドセル閉状態においても撮像部１９を露出させ、後方を撮影可能としつつ、本体収納部１０の内部への異物の侵入を防いでいる。
【００１７】
本体収納部１０の被せ蓋３０が取り付く側と反対側には肩掛け部４０が設けられており、肩掛け部によって持ち運びの際背負うことが可能となっている。
【００１８】
また、本体収納部１０には、後述するビーコン発受信部１２や、撮影したデータをクラウドサーバー７０に転送するための無線通信部１４が備わっている。
【００１９】
ビーコン発受信部１２は後述する位置情報が含まれるビーコン信号Ａ１と後述するロッカー２１０へ給電開始を促す給電開始信号Ａ２を発信する。ビーコン信号Ａ１は通常時１０秒毎に１回の頻度で発信される。但し、ビーコン信号Ａ１は省電のために発信頻度を下げてもよいし、ランドセル１の位置の追尾精度を高めるために発信頻度を上げてもよい。また、位置情報が不要の場合には発信を停止させてもよい。また、ビーコン発受信部１２や無線通信部１４の配置は、体などの遮蔽物によって通信を妨げられない位置に配置されている。
【００２０】
また、本体収納部１０にはバッテリー１３が備わっており、撮像部１９、ビーコン発受信部１２等へ電力供給を行っている。バッテリー１３はランドセル１の底面部に配置されており、これによって撮像部１９駆動時の熱を使用者に与えない構成となっている。バッテリーは電源部の一例である。
【００２１】
また、本体収納部１０には受電用コイル１５が備わっており、受電用コイル１５は、本体収納部１０の肩掛け部４０側に配置されている。受電用コイルは受電部の一例である。
【００２２】
また、ランドセルは、本体収納部１０に被せ蓋３０を被せた際、本体収納部１０に設けられた被せ蓋保持部１０ｂと、それに対向する位置に配置された、被せ蓋３０に設けられた被せ蓋留め具３３によってランドセル閉じ状態が保持される。
【００２３】
この時、ランドセル１が閉状態の時、本体収納部１０に設けられたコイル１１と被せ蓋３０に設けられたマグネット３１が対向するように配置され、コイル１１とマグネット３１は開閉検知手段を構成している。以下に開閉検知の原理について説明を行う。
【００２４】
図１（ｄ）〜（ｅ）に示すように、ランドセル１の本体収納部１０を被せ蓋３０から離す動作、すなわちランドセル１を閉状態から開状態へ移行する動作を行うと、対向していたコイル１１とマグネット３１とが離れる。これによりコイル１１を貫く磁束が変化し、電磁誘導の法則からコイル１１に誘導起電力が発生する。この電力を制御部１６が検知し、制御部１６はランドセル１が開状態であることを判断する。
【００２５】
次に、ランドセル１の本体収納部１０を被せ蓋３０に近づける動作、すなわちランドセル１を開状態から閉状態へ移行する動作を行うと、コイル１１とマグネット３１とが対向する位置に近づく。これによりコイル１１を貫く磁束が変化し、電磁誘導の法則からコイル１１には、本体収納部１０を被せ蓋３０から離す時と逆向きの誘導起電力が発生する。この電力を制御部１６が検知し、制御部１６はランドセル１が開状態であることを判断する。
【００２６】
被せ蓋３０を開ける時と、被せ蓋３０を閉じる時では逆向きの誘導起電力が発生することから、制御部１６は開閉の区別が可能となり、一方を被せ蓋３０が開けられたと判定し、他方を被せ蓋３０が閉じられたと判定することができる。
【００２７】
以上が開閉検知の原理である。
【００２８】
ここで、被せ蓋３０または本体収納部１０に備わるマグネット３１、コイル１１、ビーコン発受信部１２、バッテリー１３および撮像部１９は、ランドセル１に初めから付いている必要は無い。着脱可能なマグネット３１、コイル１１、ビーコン発受信部１２、バッテリー１３および撮像部１９をランドセル１に後付けしても構わない。
【００２９】
以上の構成に加え、ランドセル１には、防犯、安全策のため、反射板や防犯ブザーを備えることも可能である。
【００３０】
次に、本発明の実施例に係わるランドセル１とロッカー２１０の無線給電方法について図２を用いて説明する。
【００３１】
図２（ａ）本発明の実施例に係わるランドセル１を学校内に設けられたロッカー２１０に収納する前の斜視図である。
【００３２】
図２（ｂ）は本発明の実施例に係わるランドセル１を学校内に設けられたロッカー２１０に収納した状態を示す図である。
【００３３】
図２（ｃ）は図２（ｂ）の断面Ａ−Ａを示すものであり、本発明の実施例に係わるランドセル１がロッカー２１０と無線給電を行うために適した収納位置であることを示す給電位置マーク２１５の一例である。
【００３４】
図２（ｄ）はは図２（ｂ）の断面Ｂ−Ｂを示すものであり、本発明の実施例に係わるランドセル１とロッカー２１０の無線給電を説明する図である。
【００３５】
学校２００内には各教室にランドセル１を一つずつ収納可能な箱状のロッカー２１０が設けられ、各ランドセル１は収納するロッカー２１０がペアリングされて決まっている。ロッカー内部にはビーコン信号の発受信部や、個々のランドセル１の受電部１５に対応する位置に無線給電が可能な送電部２１４が設けられている。
【００３６】
図２（ａ）に示すように、ランドセル１は学校内では撮像部１９を内向きにしているが、所定のロッカー２１０から位置情報を含むビーコン信号Ｄ１を受信すると撮像部１９を外向きに変えて、後述する給電位置マーク２１５を読み取るため撮影を開始する（詳細後述）。
【００３７】
一般的に無線給電は受電コイルと送電コイルの位置合わせが重要であり、精度のある位置合わせが求められる。そこで、図２（ｂ）に示すように、ロッカー２１０にはランドセル１の肩掛け部用のガイド溝２１０ａがあり、ランドセル１を収納する際の位置規制として使用する。これにより、ランドセル１の受電部１５とロッカー２１０の送電部２１４との位置合わせの精度を上げることが出来る。
【００３８】
さらに、図２（ｃ）（ｄ）に示すように、ロッカー２１０にはランドセル１が無線給電可能な位置に収納されたことが分かるように、給電位置マーク２１５が設けられている。ランドセル１は撮像部１９で給電位置マーク２１５を読み取ることで無線給電可能な位置に収納されたことを判定する。給電位置マーク２１５はランドセル１を撮像部１９がロッカー２１０の奥側になるよう収納する場合、または手前側になるよう収納する場合に応じて２つ設けていてもよい。給電位置マーク２１５については、実施例では十字マークを用いているが、ＱＲコード（登録商標）など画像認識が可能であれば任意に変えてよい。
【００３９】
本実施例においては、安全性を考慮し、受電部１５からの指示があった場合にのみ送電部２１４に電流が流れて無線給電ができるようにしているが、常時送電部２１４に電流が流れていても構わない。また、無線給電方式については電磁誘導式や磁界共鳴式などが挙げられるが、方式はいずれも問わない。
【００４０】
次に、本発明の防犯および物品管理システムの構成について、図３に示すブロック図を参照して各々説明を行う。
【００４１】
まず、ランドセル１に関して説明を行う。ランドセル１は前述のとおり本体収納部１０と被せ蓋３０から成る。被せ蓋３０には開閉検知に用いられるマグネット３１が備わる。
【００４２】
本体収納部１０には開閉検知に用いられコイル１１と近距離にあるデバイスと通信を確立させ、近距離無線通信に用いられるビーコン発受信部１２とが備わる。前述の通り、ビーコン発受信部１２は位置情報が含まれるビーコン信号Ａ１と後述するロッカー２１０へ給電開始を促す給電開始信号Ａ２を発信する。
【００４３】
ランドセル１が閉状態の時、コイル１１とマグネット３１は対向するように配置される。本体収納部１０は前述するビーコン発受信部１２だけでなく、本体収納部１０の各部に電力を供給する電源部１３や他のデバイスから無線により電力を供給可能な受電部１５が備わる。
【００４４】
また、ランドセル１内の様々な制御を司る制御部１６が搭載された制御基板（不図示）が備わる。本体収納部１０には撮像部１９が備わり、ランドセル１の収納物５０の出し入れを監視するため、またはランドセル１を背負う児童の防犯のために制御部１６からの指示に基づいて撮影を行う。制御部１６は撮像部１９の撮影方向をランドセル１の内部の収納物を確認できる内向き、またはランドセル１の外部を確認できる外向きであるかを検知し、撮影方向を変更することが可能である。
【００４５】
この制御部１６には撮影部１９が画像データに映る物品を判定する物品判定部１７を備える。この物品判定部１７は、ある物品が何であるかを認識することができる。これは多くの画像から様々な物品の特徴を事前に学習しておくことで実現され、ある物品の画像を解析し、事前学習したデータベースとの特徴量の差分からその物品が何であるかを判定するという既知の技術で実現することができる。この技術の応用で、ランドセル１内に無かった物品に対してはその物品がどのような物か、例えば国語の教科書であれば教科書と認識し、すでに登録されている物品であればどの登録された物品であるかを認識することができる。
【００４６】
また、制御基板には撮像部１９で撮影した画像データをクラウドサーバー７０にアップロードするのに適した画像に加工する画像処理部２０と、画像データから必要な情報を取得する情報処理部２１とが備わる。画像処理部２０で加工された画像データは、例えば、プリントや教科書等の物品の種別が判るものであればよい。情報処理部２１は撮影した画像に撮影時の撮影モードや撮影方向等の情報を画像データに付与することもできる。
【００４７】
また、画像処理部２０や情報処理部２１にて処理されたデータや未処理のデータ等を記憶する記憶部１８も備わる。処理が終わった元画像データや、処理の終わったデータについても、送信の終わったデータについては記憶部１８から順次消去される。これは不要なデータをなるべくシステム上に残さないようにすることでデータ流出等のリスクを低減するためである。制御基板はランドセル１内であれば、配置場所は問わない。
【００４８】
また、ランドセル１には無線通信ルーター６０や通信基地局との通信を行う無線通信部１４が備わる。無線通信部１４は家１００内にランドセル１がある場合には無線通信ルーター６０と通信を行い、家１００から持ち出された場合には通信基地局と通信を行う等の切り換えが可能である。ランドセル１はどの場所にいてもクラウドサーバー７０との通信を確立させることが可能である。
【００４９】
また、無線通信ルーター６０が無い場合は、ランドセル１は家１００にいても通信基地局との通信を行えばよいので、クラウドサーバー７０との通信は常に確立可能である。さらに、ランドセル１には報知部２２が備わり、後述するが、ランドセル１が学校２００のロッカー２１０に収納する時に所定の位置に収納されていない事を知らせるためにある。報知部２２は警告音やＬＥＤによる光等、所有者または周囲の人に通知させることができれば形式は問わない。
【００５０】
次に、家１００内に設置されているデバイスについて説明を行う。
【００５１】
家１００内には近距離無線通信網が張り巡らされている（不図示）。近距離無線通信網は各デバイスに備わるビーコン発受信装置から発信された信号が届く範囲にある各デバイス間がビーコン信号の通信を通じて相互につながれることで構築されている。例えば家１００では、ランドセル１や無線通信ルーター６０をはじめとして、照明器具、各スイッチ、ドア等の各デバイス間がビーコン信号の通信で相互につながれている。
【００５２】
この近距離無線通信網には冗長性があり、一部のデバイス間でのビーコン信号の通信が切断されても他のデバイスを介し、目的のデバイスへビーコン信号を送信することができる。例えば、ある照明器具を家１００から持ち出した場合には、その照明器具を介していたビーコン信号の通信は他のデバイスを介して通信されるように再構築される。反対に家１００に新たなデバイスが持ち込まれた場合には、そのデバイスを介した新たな近距離無線通信網が再構築される。
【００５３】
無線通信ルーター６０にはランドセル１を含む各デバイスとの通信を行う無線通信部６１と、クラウドサーバー７０を始めとする外部機器とのインターネット通信を行う通信部６２と、各デバイスと近距離無線通信を行うビーコン発受信部６３が備わる。また、各通信部６１〜６３を駆動させるのに必要な電力を有し各通信部６１、６２に電力を供給する電源部６４が備わる。ビーコン発受信部６３は位置情報が含まれるビーコン信号Ｂ１を通常時は、１０秒毎に１回の頻度で発信する。但し、ビーコン信号Ｂ１は省電のために発信頻度を下げてもよいし、ランドセル１が家１００から持ち出されたことが判定できる精度を高めるために発信頻度を上げてもよい。
【００５４】
続いて、家１００の外部に設置されているデバイスについて説明を行う。
【００５５】
通信拠点７１はクラウドサーバー７０側に設置され、インターネット通信網８０に接続されている。通信拠点７１は無線通信ルーター６０から通信基地局を経由して送られてきたデータを受信する際や、クラウドサーバー７０のデータを無線通信ルーター６０に送信する際に使用される。通信拠点７１には無線通信ルーター６０と通信し、且つクラウドサーバー７０との通信も行われる通信部７１ａと、通信部７１ａを駆動させるのに必要な電力を有し通信部７１ａに電力を供給する電源部７１ｂとが備わる。
【００５６】
クラウドサーバー７０はある拠点に設置され、ランドセル１が撮影した画像データなどの各情報を集約して保存し、モバイル端末９０からの要望に基づき必要なデータをモバイル端末９０に対し送信する役割を担う。クラウドサーバー７０には、通信拠点７１と通信を行う通信部７２と、モバイル端末９０での閲覧に適した状態に情報を処理する情報処理部７３と、モバイル端末９０から送られてきたデータを保存する記憶部７４とが備わる。さらに、クラウドサーバー７０を駆動させるのに必要な電力を有しクラウドサーバー７０に電力を供給する電源部７５が備わる。
【００５７】
モバイル端末９０は主に個人で携帯されて使用され、家１００の内部にも外部にも持ち出されるデバイスである。モバイル端末９０はクラウドサーバー７０に保存されている各種情報を閲覧する際の閲覧手段として使用でき、クラウドサーバー７０へ対し入力を行う際の操作手段として使用できる。
【００５８】
モバイル端末９０には端末制御を司る制御部９１と、各種情報を表示する表示部９２と、クラウドサーバー７０に保存されている各種データを閲覧するのに適したＵＩを提供するアプリケーション９３とが備わる。また、表示部９２の表面をなぞったり、タップしたりすることで入力操作ができる操作部９４と、アプリケーションを含む情報を保存している記憶部９５とが備わる。
【００５９】
また、モバイル端末９０を駆動させるのに必要な電力を有しモバイル端末９０に電力を供給する電源部９６と、無線通信ルーター６０や通信基地局との通信を行う無線通信部９７が備わる。無線通信部９７は家１００内にモバイル端末９０がある場合には無線通信ルーター６０と通信を行い、家１００から持ち出された場合には通信基地局と通信を行う等の切り換えが可能である。モバイル端末９０はどの場所にいてもクラウドサーバー７０との通信を確立させることが可能である。また、無線通信ルーター６０が無い場合は、モバイル端末９０は家１００にいても通信基地局との通信を行えばよいので、クラウドサーバー７０との通信は常に確立可能である。
【００６０】
校門２０１にはビーコン発受信部２０２と、ビーコン発受信部２０２に必要な電力を供給する電源部２０３が備わる。ビーコン発受信部２０２は位置情報が含まれるビーコン信号Ｃ１を通常時１０秒毎に１回の頻度で発信する。但し、ビーコン信号Ｃ１は省電のために発信頻度を下げてもよいし、登下校時はランドセル１が学校２００に入ったことが判定できる精度を高めるために発信頻度を上げてもよい。
【００６１】
ロッカー２１０にはロッカーの様々な制御を司る制御部２１１と、ビーコン発受信部２１２と、各部に電力を供給する電源部２１３と、ランドセル１に対して無線で電力を送信する送電部２１４が備わる。ビーコン発受信部２１２は位置情報が含まれるビーコン信号Ｄ１を通常時１０秒毎に１回の頻度で発信する。但し、ビーコン信号Ｄ１は省電のために発信頻度を下げてもよい。
【００６２】
続いて、ランドセル１における収納物の管理方法について図４を用いて説明する。
【００６３】
学校では様々な提出物や配布物があり、例えば、児童の親の承認が必要な書類やプリントやイベントの開催案内などがあげられる。児童が学校で配布された物をうっかり親に渡し忘れる場合や、親の承認を得た後にランドセルへ入れるのを忘れてしまうことを防止する方法について説明する。
【００６４】
図４はランドセル１内の物品管理テーブル５００の一例を示す。物品管理テーブル５００で管理されている情報は前述のクラウドサーバー７０に保存されている。必要に応じてモバイル端末９０の記憶部９５に保存されているアプリケーション９３を立ち上げ、物品管理テーブル５００で管理されている情報が閲覧できよう構成され、提出が必要なプリント等を見つけることができる（詳細後述）。
【００６５】
図４に示すように、物品管理テーブル５００にて物品の各種情報が管理されている。物品の各種情報は一度システムに登録すると基本的には変わらない不変情報とリアルタイムに変化する変動情報とに大別される。不変情報としては物品の種類を表す物品カテゴリ５０１、物品の名称を表す登録名称５０２、物品の画像を表す画像５０３、物品を初めて物品管理システムに登録した日時を表す登録日時５０６の情報が管理される。一方、変動情報としては物品の収納状況を表すステータス５０４、物品の最終収納日時、ないしは持出し日時を表す最終取扱い時刻５０５の情報が管理される。その他物品に対する特記事項があれば備考欄５０７にて管理される。
【００６６】
続いて物品管理テーブル５００内で管理されている各項目の情報の登録方法について説明を行う。物品カテゴリ５０１は物品判定部１７から物品の種類が判定され、例えば図４のＡ列の物品では外観から自動的に「教科書」と登録される。登録名称５０２は、複数の教科書を所持していることから他の教科書と区別するために登録名称５０２を「国語の教科書」とユーザーが命名し、物品管理テーブル５００にモバイル端末９０等から、手動で入力されることで登録される。画像５０３については、物品をランドセル１に出し入れした際に撮像部１９で撮影された画像が登録されてもよいし、ユーザーがモバイル端末９０等で撮影した画像が登録されてもよい。
【００６７】
ステータス５０４は、物品を収納している際は「収納」、持出している際は「持出」と登録される。但し、収納された物品がまだ物品管理テーブル５００に登録されていない新規の物品だった場合には「新規」と登録される。「新規」と登録された場合、その後に不変情報である登録名称５０２や画像５０３に新たな情報がユーザーによって登録されると、最終取扱い時刻５０５の欄が更新される。その時もし、収納時であれば「収納」と、持出し時であれば「持出」と登録される。
【００６８】
最終取扱い時刻５０５は、最後に物品がランドセル１に出し入れされた時の日時が登録される。登録日時５０６は、その物品が初めてランドセル１に入れる収納物としてユーザーが登録した日付が登録される。備考欄５０７は、特記事項がある場合にのみ登録される。例えば、図４の３「プリント」のように親がモバイル端末９０から立ち上げたアプリケーション９３を介して、自ら物品管理テーブル５００の備考欄５０７に「提出期限」追記することができる。
【００６９】
上記様々な物品の登録情報の内、変動情報についてはランドセル１が開閉され、物品が出し入れされるたびに最新の情報が上書き登録される。
【００７０】
次に、実際に物品管理テーブル５００を用いてランドセル１に収納された提出物や配布物を探す方法について説明を行う。
【００７１】
まず、モバイル端末９０の操作部９４を操作し、アプリケーション９３を立ち上げると、物品管理テーブル５００に登録されている情報を閲覧できるようになる。そして、図４に示す物品管理テーブル５００に登録されている情報を閲覧し、新しく追加された物品を探す。その際、登録画像から目的の物品を見つける方法や、物品の登録名称が「新規」になっているもの等から検索する方法がある。この方法を用いれば、児童が提出物や配布物等を親に渡し忘れていても、親は学校からもらったことを知ることができ、渡し忘れを防止することができる。また、親が提出物であるプリントを確認し備考欄５０７に提出期限を追記しておくことで、期限までに児童がランドセル１からプリントを持ち出したかを管理することができる。
【００７２】
さらに、提出されたプリントや親が確認するだけの配布物は、親が現物を確認した後で、モバイル端末９０のアプリケーション９３を介して物品管理テーブル５００から不要な「プリント」の行を削除することができる。
【００７３】
次に、図５〜図１０を参照して、登下校および家１００または学校２００内での防犯および物品管理システムにおけるランドセル１の動作を以下に説明する。
【００７４】
図５〜９はランドセル１の通信処理のフローチャートを示す。
【００７５】
図５（ａ）はランドセル１の通信処理の主ルーチンのフローチャートを示す。
【００７６】
Ｓ１０１で、制御部１６はビーコン発受信部１２に位置情報が含まれるビーコン信号Ａ１を発信させ、Ｓ１０２に進む。前述している通り、ビーコン信号Ａ１は省電のために発信頻度を変えることができ、位置情報が不要の場合には発信を停止させてもよい。
【００７７】
Ｓ１０２で制御部１６はビーコン発受信部１２が無線ルーター６０の位置情報が含まれるビーコン信号Ｂ１を受信したか否かを判断する。
【００７８】
無線ルーター６０からのビーコン信号Ｂ１を受信したならば（Ｓ１０２）、家モード処理Ｓ１０３へ進み、受信しなかったならば、外出モード処理Ｓ１０４へ進む。
【００７９】
家モード処理Ｓ１０３の詳細は図５（ｂ）を用いて説明する。外出モード処理Ｓ１０４の詳細は図６を用いて後述する。
【００８０】
図５（ｂ）はＳ１０３における家モード処理の詳細なフローチャートである。
【００８１】
図１０（ａ）はランドセル１の家モードにおける、ランドセル１とクラウドサーバー７０とモバイル端末９０の通信関係の模式図である。図１０（ａ）に示すように、家１の中にあるランドセル１はインターネット通信網８０でクラウドサーバー７０と通信し、家１の外にあるモバイル端末９０は基地局（不図示）を介してクラウドサーバー７０と直接の無線通信を行う。
【００８２】
Ｓ２０１で、制御部１６は前述したコイル１１とマグネット３１による開閉検知手段によりランドセル１が開状態になったか否かを検知する。
【００８３】
開状態になったことを検知したならば（Ｓ２０１）、Ｓ２０２に進む。開状態になったことを検知しなかったならば（Ｓ２０１）、Ｓ２０７へ進む。
【００８４】
Ｓ２０２で、制御部１６は撮像部１９がランドセル１内部を撮影できる内向きであるか否かを判断する。
【００８５】
制御部１６が撮像部１９の撮影方向が内向きであると検知したならば（Ｓ２０２）、Ｓ２０４に進み撮影を開始する。
【００８６】
撮像部１９の撮影方向が内向きでないと検知したならば（Ｓ２０２）、Ｓ２０３へ進む。
【００８７】
Ｓ２０３で、制御部１６は撮像部１９を内向きになるよう駆動させ、Ｓ２０４へ進む。
【００８８】
Ｓ２０４で、制御部１６は撮像部１９に撮影を開始させる。この時、内向きで撮影することでランドセル１に出し入れした物品が何か、画像として記録に残すことができればよいので、撮影するモードは静止画モードでも動画モードでも構わない。また、撮影はせず、スルー画像にて情報処理部２１が物品を認識し、画像データとして記録してもよい。
【００８９】
また、撮影した画像および画像データは、画像処理部２０でクラウドサーバー７０にアップロードするのに適した加工がなされる。
【００９０】
Ｓ２０５で、制御部１６は前述したコイル１１とマグネット３１による開閉検知手段によりランドセル１が閉状態になったか否かを検知する。
【００９１】
閉状態になったことを検知したならば（Ｓ２０５）、Ｓ２０６に進む。閉状態になったことを検知しなかったならば（Ｓ２０５）、検知するまで待つ。
【００９２】
Ｓ２０６で、制御部１６は撮像部１９に撮影を停止させ、Ｓ２０７に進む。
【００９３】
Ｓ２０７で、制御部１６は撮像部１９で撮影し、画像処理部２０で加工した全ての画像をクラウドサーバー７０へアップロードする指示信号を受信したか否かを判断する。
【００９４】
画像データのアップロード指示信号を受信したならば（Ｓ２０７）、Ｓ２０８へ進む。この時、モバイル端末９０はランドセル１に対して、撮影データをクラウドサーバー７０へアップロードする指示を出している。
【００９５】
画像データのアップロード指示信号を受信しなかったならば（Ｓ２０７）、Ｓ２０９へ進む。
【００９６】
Ｓ２０８で、制御部１６は無線通信部１４に画像処理部２０で加工した全ての画像をクラウドサーバー７０へアップロードを開始させる。
【００９７】
Ｓ２０９で、制御部１６は無線通信部１４が画像処理部２０で加工した全ての画像をクラウドサーバー７０へアップロード済であるか否かを判断する。
【００９８】
全ての画像をアップロード済であると判断したならば（Ｓ２０９）、Ｓ２１０に進む。全ての画像をアップロード済ではないと判断したならば（Ｓ２０９）、無線通信部１４はアップロードが完了するまで続ける。
【００９９】
Ｓ２１０で、制御部１６は無線通信部１４にクラウドサーバー７０との通信を停止させて、家モード処理ルーチンを終了する。
【０１００】
以上のように、ランドセル１が家にある場合は児童の親も家にいる可能性が高く、実際に親がランドセルを開けて収納物を確認することが出来るため、撮影した画像のアップロードはアップロード指示がなければ行わない。もちろん、撮影ごとに随時自動でアップロードする設定にしても構わない。
【０１０１】
次に、Ｓ２０４における外出モード処理について図６を用いて詳細に説明する。
【０１０２】
図６はＳ２０４における外出モード処理の詳細なフローチャートである。
【０１０３】
図１０（ｂ）はランドセル１の外出モードにおける、ランドセル１とクラウドサーバー７０とモバイル端末９０の通信関係の模式図である。図１０（ｂ）に示すように、家１の外にあるランドセル１およびモバイル端末９０はそれぞれ基地局（不図示）を介してクラウドサーバー７０と直接の無線通信を行う。
【０１０４】
Ｓ３０１で、制御部１６は撮像部１９がランドセル１外部を撮影できる外向きであるか否かを判断する。制御部１６が撮像部１９の撮影方向が外向きであると検知したならば（Ｓ３０１）、Ｓ３０３に進む。撮像部１９の撮影方向が外向きでないと検知したならば（Ｓ３０１）、Ｓ３０２へ進む。
【０１０５】
Ｓ３０２で、制御部１６は撮像部１９を外向きになるよう駆動させ、Ｓ３０３に進む。
【０１０６】
Ｓ３０３で、制御部１６は撮像部１９が動画撮影中か否かを判断する。制御部１６が撮像部１９は動画撮影中であると判断したならば（Ｓ３０３）、Ｓ３０５に進む。制御部１６が撮像部１９は動画撮影中でないと判断したならば（Ｓ３０３）、Ｓ３０４に進み、撮像部１９に動画撮影を開始させる。
【０１０７】
Ｓ３０５で、制御部１６は無線通信部１４がクラウドサーバー７０に画像データをアップロード中であるか否かを判断する。画像データをアップロード中であると判断した場合（Ｓ３０５）、Ｓ３０７に進む。画像データをアップロード中でないと判断した場合（Ｓ３０５）、Ｓ３０６に進む。
【０１０８】
Ｓ３０６で、制御部１６は無線通信部１４にクラウドサーバー７０へ画像データのアップロードを開始させる。この時、画像処理部２０で画像の加工は行わず、そのままの画像データをアップロードする。画像を加工しないことで事故や犯罪に巻き込まれた時などに、より正確な状況を知ることができる。
【０１０９】
Ｓ３０７で、制御部１６は前述したコイル１１とマグネット３１による開閉検知手段によりランドセル１が開状態になったか否かを検知する。開状態になったことを検知したならば（Ｓ３０７）、Ｓ３０８に進む。開状態になったことを検知しなかったならば（Ｓ３０７）、Ｓ３１１へ進む。
【０１１０】
Ｓ３０８で、制御部１６は撮像部１９を内向きになるよう駆動させ、Ｓ３０９に進む。
【０１１１】
このように外向き撮影中に内向き撮影になった場合、情報処理部２１が撮像した画像データに内向きであることを示す情報やフラグを付与することができ、モバイル端末９０で画像を閲覧する時に分かりやすくなる。また、メモリ消費を減らすために撮影モードを動画モードから静止画モードに切り換えてもよい。
【０１１２】
Ｓ３０９で、制御部１６は前述したコイル１１とマグネット３１による開閉検知手段によりランドセル１が閉状態になったか否かを検知する。閉状態になったことを検知したならば（Ｓ３０９）、Ｓ３１０に進む。閉状態になったことを検知しなかったならば（Ｓ３０９）、検知するまで待つ。
【０１１３】
Ｓ３１０で、制御部１６は撮像部１９を外向きになるよう駆動させ、Ｓ３１１に進む。
【０１１４】
Ｓ３１１で、制御部１６はビーコン発受信部１２が校門２０１からのビーコン信号Ｃ１を一定時間以上受信したか否かを判断する。ビーコン信号Ｃ１を一定時間以上受信したと判断した場合（Ｓ３１１）、Ｓ３１２に進む。ビーコン信号Ｃ１を一定時間以上受信していないと判断した場合（Ｓ３１１）、Ｓ３１７に進む。
【０１１５】
Ｓ３１２で、制御部１６は無線通信部１４に登校完了をしたことを示す信号をクラウドサーバー７０ーへ送信させ、Ｓ３１３に進む。この時、クラウドサーバー７０上ではランドセル１を所有する児童が登校したことが管理され、モバイル端末９０から児童の親が児童の登校履歴を確認できる。
【０１１６】
Ｓ３１３で、制御部１６は撮像部１９に撮影を停止させ、Ｓ３１４に進む。
【０１１７】
Ｓ３１４で、制御部１６は撮像部１９を内向きになるよう駆動させ、学校モード処理Ｓ３１５に進む。学校モード処理Ｓ３１５の詳細は図７を用いて後述する。学校モード処理Ｓ３１５を終えると、Ｓ３１６に進む。
【０１１８】
Ｓ３１６で、制御部１６はビーコン発受信部１２が校門２０１からのビーコン信号Ｃ１を一定時間以上受信したか否かを判断する。ビーコン信号Ｃ１を一定時間以上受信したと判断した場合（Ｓ３１６）、Ｓ３１５に戻る。ビーコン信号Ｃ１を一定時間以上受信していないと判断した場合（Ｓ３１６）、Ｓ３１７に進む。
【０１１９】
Ｓ３１７で、制御部１６は無線通信部１４が画像処理部２０で加工した全ての画像をクラウドサーバー７０へアップロード済か否かを判断する。全ての画像をアップロード済であると判断したならば（Ｓ３１７）、Ｓ３１８へ進む。全ての画像をアップロード済ではないと判断したならば（Ｓ３１７）、アップロードを続けたまま外出モード処理ルーチンを終了する。
【０１２０】
Ｓ３１８で、制御部１６は無線通信部１４にクラウドサーバー７０との通信を停止させて、外出モード処理ルーチンを終了する。
【０１２１】
以上のように、家から出たランドセル１は児童の周囲を常時動画撮影し、その画像データをクラウドサーバー７０に常時自動でアップロードしている。これにより、遠くにいる児童の親等やクラウドを管理する防犯センターがモバイル端末９０等からクラウドサーバー７０にアップロードされた画像データを閲覧でき、事故や事件に巻き込まれていないか児童の安全を確認できる。さらに、登下校中の児童の周囲の様子を知ることができるので、児童の友人関係や行動範囲を確認できる。また、学校２００に入るとランドセル１の撮像部１９は内向きになり、撮影停止状態となる。これは、プライバシーの観点から周りに撮影されているという児童への不快感を取り除きプライバシーを保護するためであり、またランドセル１の消費電力およびメモリ消費を抑えるためでもある。
【０１２２】
次に、Ｓ３１５における学校モード処理について図７を用いて詳細に説明する。
【０１２３】
図７はＳ３１５における学校モード処理の詳細なフローチャートである。
【０１２４】
Ｓ４０１で、制御部１６は前述したコイル１１とマグネット３１による開閉検知手段によりランドセル１が開状態になったか否かを検知する。開状態になったことを検知したならば（Ｓ４０１）、Ｓ４０２に進む。開状態になったことを検知しなかったならば（Ｓ４０１）、Ｓ４０５へ進む。
【０１２５】
Ｓ４０２で、制御部１６は撮像部１９に撮影を開始させる。この時撮影するモードは、静止画モードでも動画モードでも構わない。また、撮影した画像は、画像処理部２０でクラウドサーバー７０にアップロードするのに適した加工がなされる。
【０１２６】
Ｓ４０３で、制御部１６は前述したコイル１１とマグネット３１による開閉検知手段によりランドセル１が閉状態になったか否かを検知する。閉状態になったことを検知したならば（Ｓ４０３）、Ｓ４０４に進む。閉状態になったことを検知しなかったならば（Ｓ４０３）、検知するまで待つ。
【０１２７】
Ｓ４０４で、制御部１６は撮像部１９に撮影を停止させ、Ｓ４０５に進む。
【０１２８】
Ｓ４０５で、制御部１６はビーコン発受信部１２が所定のロッカーの位置情報が含まれるビーコン信号Ｄ１を受信したか否かを判断する。ビーコン信号Ｄ１を受信したならば（Ｓ４０５）、給電モード処理Ｓ４０６に進む。ビーコン信号Ｄ１を受信しなかったならば（Ｓ４０５）、Ｓ４０７に進む。
【０１２９】
給電モード処理Ｓ４０６の詳細は図８を用いて後述する。
【０１３０】
Ｓ４０６では、図２（ａ）に示すように、ランドセル１がロッカー２１０に収納されるためにロッカー２１０に近づき、ロッカー２１０のビーコン信号Ｄ１を受信したことを示す。
【０１３１】
給電モード処理Ｓ４０６を終えると、Ｓ４０７に進む。
【０１３２】
Ｓ４０７で、制御部１６は無線通信部１４が外出時に撮影した画像をクラウドサーバー７０へアップロード中であるか否かを判断する。
【０１３３】
クラウドサーバー７０へアップロード中であると判断した場合（Ｓ４０７）、Ｓ４０８に進み、アップロード中ででないと判断した場合（Ｓ４０７）、Ｓ４１０に進む。
【０１３４】
Ｓ４０８で、制御部１６は無線通信部１４外出時に撮影した画像をクラウドサーバー７０へアップロード済が否かを判断する。全ての画像をアップロード済であると判断したならば（Ｓ４０８）、Ｓ４０９に進む。全ての画像をアップロード済ではないと判断したならば（Ｓ４０８）、全ての画像のアップロードが完了するまで続ける。
【０１３５】
Ｓ４０９で、制御部１６は無線通信部１４にクラウドサーバー７０との通信を停止させて、Ｓ４１０へ進む。
【０１３６】
Ｓ４１０で、制御部１６は撮像部１９で撮影し、画像処理部２０で加工した全ての画像をクラウドサーバー７０へアップロードする指示信号を受信したか否かを判断する。画像データのアップロード指示信号を受信したならば（Ｓ４１０）、Ｓ４１１へ進む。この時、モバイル端末９０はランドセル１に対して、撮影データをクラウドサーバー７０へアップロードする指示を出している。
【０１３７】
画像データのアップロード指示信号を受信しなかったならば（Ｓ４１０）、Ｓ４１２へ進む。
【０１３８】
Ｓ４１１で、制御部１６は無線通信部１４に画像処理部２０で加工した全ての画像をクラウドサーバー７０へアップロードを開始させる。
【０１３９】
Ｓ４１２で、制御部１６は画像処理部２０で加工した全ての画像をクラウドサーバー７０へアップロード済であるか否かを判断する。全ての画像をアップロード済であると判断したならば（Ｓ４１２）、Ｓ４１３に進む。全ての画像をアップロード済ではないと判断したならば（Ｓ４１２）、アップロードが完了するまで続ける。
【０１４０】
Ｓ４１３で、制御部１６は無線通信部１４にクラウドサーバー７０との通信を停止させて、学校モードの処理ルーチンを終了する。
【０１４１】
次に、Ｓ４０６における給電モード処理について図２および図８を用いて詳細に説明する。図８はＳ４０６給電モード処理の詳細なフローチャートである。
【０１４２】
Ｓ５０１で、制御部１６は電源部１３から電池残量がＭＡＸであるか否かを判断する。電池残量がＭＡＸであったならば（Ｓ５０１）、Ｓ５０２に進む。電池残量がＭＡＸでなかったならば（Ｓ５０１）、Ｓ５０４へ進む。
【０１４３】
Ｓ５０２で、制御部１６はビーコン発受信部１２からロッカー２１０へ給電開始を示すビーコン信号Ａ２を送信済か否かを判断する。給電開始を示すビーコン信号Ａ２を送信済であったならば（Ｓ５０２）、Ｓ５０３に進む。Ｓ５０３で、制御部１６はビーコン発受信部１２にロッカー２１０へ給電終了を示すビーコン信号Ａ３を送信させ、給電モードの処理ルーチンを終了する。
【０１４４】
給電開始を示すビーコン信号Ａ２を送信していなかったならば（Ｓ５０２）、給電モードの処理ルーチンを終了する。
【０１４５】
Ｓ５０４で、制御部１６はビーコン発受信部１２からロッカー２１０へ給電開始を示すビーコン信号Ａ２を送信済か否かを判断する。給電開始を示すビーコン信号Ａ２を送信済であったならば（Ｓ５０４）、給電モードの処理ルーチンを終了する。給電開始を示すビーコン信号Ａ２を送信していなかったならば（Ｓ５０４）、Ｓ５０５に進む。
【０１４６】
Ｓ５０５で、制御部１６は撮像部１９を外向きになるよう駆動させ、Ｓ５０６に進む。
【０１４７】
Ｓ５０６で、制御部１６は撮像部１９に撮影を開始させ、Ｓ５０７に進む。
【０１４８】
Ｓ５０７で、制御部１６は情報処理部２１が撮影した画像からロッカー２１０に設けられた給電位置マーク２１５を所定時間以上検知したか否かを判断する。給電位置マーク２１５を所定時間以上検知したならば（Ｓ５０７）、Ｓ５０８に進む。給電位置マーク２１５を所定時間以上検知しなかったならば（Ｓ５０７）、Ｓ５０９に進む。
【０１４９】
Ｓ５０８で、制御部１６はビーコン発受信部１２からロッカー２１０へ給電開始を示すビーコン信号Ａ２を送信し、Ｓ５１０に進む。
【０１５０】
Ｓ５０９で、制御部１６はビーコン発受信部１２がロッカー２１０の位置情報が含まれるビーコン信号Ｄ１を受信したか否かを判断する。ビーコン信号Ｄ１を受信したならば（Ｓ５０９）、Ｓ５１０に進む。ビーコン信号Ｄ１を受信しなかったならば（Ｓ５０９）、Ｓ５１２に進む。
【０１５１】
Ｓ５１０で、制御部１６は撮像部１９が駆動してから所定時間が経過したか否かを判断する。所定時間が経過していれば（Ｓ５１０）、Ｓ５１１に進み、所定時間が経過していなければ（Ｓ５１０）、Ｓ５０７に戻る。
【０１５２】
Ｓ５１１で、制御部１６は報知部２２を起動させる。この時、ランドセル１がロッカー２１０に収納されているにも関わらず、無線給電が可能な位置まで収納されていないまま一定時間経過していることが分かる。報知部２２を起動させることで所有者または周囲の人に無線給電が出来ていないことを知らせるとともに、無線給電が可能な位置に再収納を促すことができる。前述の通り、報知部２２は警告音やＬＥＤによる光等、所有者または周囲の人に通知させることができれば形式は問わない。また、所定時間は任意に変更することが可能である。
【０１５３】
Ｓ５１２で、制御部１６は撮像部１９に撮影を開始させ、Ｓ５１３に進む。
【０１５４】
Ｓ５１３で、制御部１６は撮像部１９を内向きになるよう駆動させ、給電モード処理ルーチンを終了する。
【０１５５】
次に、ロッカー２１０のランドセル１に対する無線給電動作を以下に説明する。
【０１５６】
図９はロッカー２１０のランドセル１に対する無線給電処理の詳細なフローチャートである。
【０１５７】
Ｓ６０１で、制御部２１１はビーコン発受信部２１２に位置情報が含まれるビーコン信号Ｄ１を発信させ、Ｓ６０２に進む。
【０１５８】
Ｓ６０２で、制御部２１１はビーコン発受信部２１２がランドセル１から給電開始を示すビーコン信号Ａ２を受信したか否かを判断する。ビーコン信号Ａ２を受信したならば（Ｓ６０２）、Ｓ６０３へ進む。ビーコン信号Ａ２を受信しなかったならば（Ｓ６０２）、受信するまで待つ。
【０１５９】
Ｓ６０３で、制御部２１１は電源部２１３に送電部２１４へ電力を流させ、ランドセルに対して無線給電を開始し、Ｓ６０４へ進む。
【０１６０】
Ｓ６０４で、制御部２１１はビーコン発受信部２１２がランドセル１から給電終了を示すビーコン信号Ａ３を受信したか否かを判断する。ビーコン信号Ａ３を受信したならば（Ｓ６０４）、Ｓ６０５へ進む。ビーコン信号Ａ３を受信しなかったならば（Ｓ６０４）、受信するまで待つ。
【０１６１】
Ｓ６０５で、制御部２１１は電源部２１３に送電部２１４への電力を停止させ、無線給電を終了し、無線給電処理ルーチンを終了する。
【０１６２】
このように、学校に着くと撮像部１９を内向きに変え、ロッカーに収納するとき給電開始のためにのみ撮像部１９を外向きにするので、学校内で不要な撮影は行われず、プライバシーを保護することができる。
【０１６３】
また、いずれのモードであってもランドセル１の開状態を検知して収納物の出し入れを監視することができ、学校への提出物や配布物を児童から親へ、あるいは親から児童への渡し忘れを防止することが出来る。
【０１６４】
さらに、防犯用途となる外出時には常時動画撮影を行い、撮影した画像をクラウドサーバー７０へアップロードし、その他の場合には開状態や給電開始前など限られた時に撮影を行い、モバイル端末９０からの要求に応じて画像のアップロードを行う。そのため、不要な電力消費やメモリ消費を抑えて、外出時に電力不足やメモリ不足となることを防止することができる。
【０１６５】
以上説明したように、本発明の防犯および物品管理システムは、家や学校等の所定の場所にいる場合は、撮像部を装置の内向きに変え、ランドセル１などの可搬収納装置内が開かれると可搬収納装置内部の撮影を開始する。また、外出時には、撮像部を装置の外向きに変え撮影した画像データをクラウドにアップロードし、可搬収納装置内が開かれると可搬収納装置の内向きに変え、可搬収納装置内部を撮影する。これにより、可搬収納装置保持者の周囲を撮影する防犯の役割と、収納物の管理の両立が可能となる。
【０１６６】
また、本実施例では物品を収納する容器としてランドセル１を例に挙げて説明を行ってきたが、本発明の適用範囲はこれに限らず、リュック等、物品を収納し持ち運ぶことができるもの全てを対象とする。また、開閉検知の方法についても、コイル３２ａとマグネット３１ａを近づけたり、遠ざけたりすることで発生する磁束の誘導起電力を例に挙げて説明を行ってきたが、本発明の適用範囲はこれに限らない。例えば、磁気センサを用い被せ蓋３０と本体収納部１０の磁気強度を検知し、一定以下の磁気強度を検知すれば被せ蓋３０の開を検知してもよい。または、各種センサ（圧力センサ、加速度センサ、スイッチ等）で検知し、被せ蓋３０の開及び閉を検知する構成としてもよい。さらに、収納される物品については教科書や提出物などを例に挙げているが、これも当然限定されるものではなく、可搬収納装置に収納可能なものであれば全てを対象とする。
【０１６７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2020043423.tif 000003
【図２】
2020043423.tif 000004
【図３】
2020043423.tif 000005
【図４】
2020043423.tif 000006
【図５】
2020043423.tif 000007
【図６】
2020043423.tif 000008
【図７】
2020043423.tif 000009
【図８】
2020043423.tif 000010
【図９】
2020043423.tif 000011
【図１０】
2020043423.tif 000012